【手続補正書】
【提出日】平成18年11月8日(2006.11.8)
【手続補正１】
【補正対象書類名】明細書
【補正対象項目名】特許請求の範囲
【補正方法】変更
【補正の内容】
【特許請求の範囲】
【請求項１】  フォームデータの作成を行う画像生成装置であって、
文書、画像、図形を部分フォームとして作成する作成手段と、前記作成手段で作成した部分フォームを重ね合わせる重合手段と、前記重合手段で重ね合わせた部分フォームを貼り付け先のフォームに貼り付けて、フォームデータを生成する貼付手段とを有することを特徴とする画像生成装置。
【請求項２】  前記作成手段は、前記部分フォームをプログラミングＡＰＩ（Application Program Interface）を使用して作成することを特徴とする請求項１記載の画像生成装置。
【請求項３】  前記貼り付け先のフォームを示すフォームデータは、前記画像生成装置が備える格納手段に格納されていることを特徴とする請求項１記載の画像生成装置。
【請求項４】  前記貼り付け先のフォームを示すフォームデータは、前記画像生成装置に通信媒体を介して接続された外部装置が備える格納手段に格納されており、前記作成手段は、前記外部装置から前記通信媒体を介して前記貼り付け先のフォームデータを取得することを特徴とする請求項１記載の画像生成装置。
【請求項５】  前記作成手段による文書の作成時に、当該文書のフォント情報・レイアウト情報・段落情を含む文書属性を変更する属性変更手段を有することを特徴とする請求項１又は２記載の画像生成装置。
【請求項６】  前記作成手段による画像の作成時に、当該画像の拡大・縮小等の画像変換を行う画像変換手段を有することを特徴とする請求項１、２、５の何れかに記載の画像生成装置。
【請求項７】  前記作成手段による図形の作成時に、当該図形の線幅・破線パターン、線色を含む図形属性を指定する属性指定手段を有することを特徴とする請求項１、２、５、６の何れかに記載の画像生成装置。
【請求項８】  前記作成手段で作成した文書、画像、図形をグラフィック状態で保持する保持手段を有することを特徴とする請求項１、２、５〜７の何れかに記載の画像生成装置。
【請求項９】  前記作成手段は、前記保持手段にグラフィック状態で保持している文書、画像、図形を部分フォームを示す部分フォームデータに変換する変換手段を含むことを特徴とする請求項８記載の画像生成装置。
【請求項１０】  前記保持手段にグラフィック状態で保持している文書、画像、図形に固有の識別子を付加する識別子付加手段を有することを特徴とする請求項８又は９記載の画像生成装置。
【請求項１１】  前記識別子として自動的に連番を付加するか或いは任意に文字列を付加するかの指定が可能であることを特徴とする請求項１０記載の画像生成装置。
【請求項１２】  前記部分フォームを前記貼り付け先のフォームに貼り付ける際の書式を選択する書式選択手段を有することを特徴とする請求項１、３、４の何れかに記載の画像生成装置。
【請求項１３】  前記書式選択手段は、前記部分フォームの書式を前記貼り付け先のフォームの書式に合わせる書式選択、或いは前記貼り付け先のフォームの書式を前記部分フォームの書式に合わせる書式選択、或いは前記部分フォームの書式と前記貼り付け先のフォームの書式を独立させる書式選択を行うことを特徴とする請求項１２記載の画像生成装置。
【請求項１４】  前記書式選択を自動で行うか或いは手動で行うかの指定が可能であることを特徴とする請求項１２又は１３記載の画像生成装置。
【請求項１５】  前記請求項１〜１４の何れかに記載の前記画像生成装置と外部装置を通信媒体を介して任意台数接続すると共に、前記画像生成装置と前記外部装置の間で前記フォームの送受信を可能に構成したことを特徴とするネットワークシステム。
【請求項１６】  フォームデータの作成を行う画像生成装置におけるフォーム貼り付け方法であって、
文書、画像、図形を部分フォームとして作成する作成工程と、前記作成工程で作成した部分フォームを重ね合わせる重合工程と、前記重合工程で重ね合わせた部分フォームを貼り付け先のフォームに貼り付けて、フォームデータを生成する貼付工程とを有することを特徴とするフォーム貼り付け方法。
【請求項１７】  前記作成工程では、前記部分フォームをプログラミングＡＰＩ（Application Program Interface）を使用して作成することを特徴とする請求項１６記載のフォーム貼り付け方法。
【請求項１８】  前記貼り付け先のフォームを示すフォームデータは、前記画像生成装置が備える格納手段に格納されていることを特徴とする請求項１６記載のフォーム貼り付け方法。
【請求項１９】  前記貼り付け先のフォームを示すフォームデータは、前記画像生成装置に通信媒体を介して接続された外部装置が備える格納手段に格納されており、前記作成工程では、前記外部装置から前記通信媒体を介して前記貼り付け先のフォームデータを取得することを特徴とする請求項１６記載のフォーム貼り付け方法。
【請求項２０】  前記作成工程による文書の作成時に、当該文書のフォント情報・レイアウト情報・段落情報を含む文書属性を変更する属性変更工程を有することを特徴とする請求項１６又は１７記載のフォーム貼り付け方法。
【請求項２１】  前記作成工程による画像の作成時に、当該画像の拡大・縮小の画像変換を行う画像変換工程を有することを特徴とする請求項１６、１７、２０の何れかに記載のフォーム貼り付け方法。
【請求項２２】  前記作成工程による図形の作成時に、当該図形の線幅・破線パターン、線色を含む図形属性を指定する属性指定工程を有することを特徴とする請求項１６、１７、２０、２１の何れかに記載のフォーム貼り付け方法。
【請求項２３】  前記作成工程で作成した文書、画像、図形をグラフィック状態で保持手段に保持する記憶制御工程を有することを特徴とする請求項１６、１７、２０〜２２の何れかに記載のフォーム貼り付け方法。
【請求項２４】  前記作成工程は、前記保持手段にグラフィック状態で保持している文書、画像、図形を部分フォームを示す部分フォームデータに変換する変換工程を含むことを特徴とする請求項２３記載のフォーム貼り付け方法。
【請求項２５】  前記保持手段にグラフィック状態で保持している文書、画像、図形に固有の識別子を付加する識別子付加工程を有することを特徴とする請求項２３又は２４記載のフォーム貼り付け方法。
【請求項２６】  前記識別子として自動的に連番を付加するか或いは任意に文字列を付加するかの指定が可能であることを特徴とする請求項２５記載のフォーム貼り付け方法。
【請求項２７】  前記部分フォームを前記貼り付け先のフォームに貼り付ける際の書式を選択する書式選択工程を有することを特徴とする請求項１６、１８、１９の何れかに記載のフォーム貼り付け方法。
【請求項２８】  前記書式選択工程では、前記部分フォームの書式を前記貼り付け先のフォームの書式に合わせる書式選択、或いは前記貼り付け先のフォームの書式を前記部分フォームの書式に合わせる書式選択、或いは前記部分フォームの書式と前記貼り付け先のフォームの書式を独立させる書式選択を行うことを特徴とする請求項２７記載のフォーム貼り付け方法。
【請求項２９】  前記書式選択を自動で行うか或いは手動で行うかの指定が可能であることを特徴とする請求項２７又は２８記載のフォーム貼り付け方法。
【請求項３０】  フォームデータの作成を行う画像生成装置に適用されるフォーム貼り付け方法を実行するプログラムを記憶したコンピュータにより読み出し可能な記憶媒体であって、
前記フォーム貼り付け方法は、文書、画像、図形を部分フォームとして作成する作成ステップと、前記作成ステップで作成した部分フォームを重ね合わせる重合ステップと、前記重合ステップで重ね合わせた部分フォームを貼り付け先のフォームに貼り付けて、フォームデータを生成する貼付ステップとを有することを特徴とする記憶媒体。
【請求項３１】  前記作成ステップは、前記部分フォームをプログラミングＡＰＩ（Application Program Interface）を使用して作成することを特徴とする請求項３０記載の記憶媒体。
【請求項３２】  前記作成ステップによる文書の作成時に、当該文書のフォント情報・レイアウト情報・段落情報を含む文書属性を変更する属性変更ステップを有することを特徴とする請求項３０又は３１記載の記憶媒体。
【請求項３３】  前記作成ステップによる画像の作成時に、当該画像の拡大・縮小の画像変換を行う画像変換ステップを有することを特徴とする請求項３０〜３２の何れかに記載の記憶媒体。
【請求項３４】  前記作成ステップによる図形の作成時に、当該図形の線幅・破線パターン、線色を含む図形属性を指定する属性指定ステップを有することを特徴とする請求項３０〜３３の何れかに記載の記憶媒体。
【請求項３５】  前記作成ステップで作成した文書、画像、図形をグラフィック状態で保持手段に保持する記憶制御ステップを有することを特徴とする請求項３０〜３４の何れかに記載の記憶媒体。
【請求項３６】  前記作成ステップは、前記保持手段にグラフィック状態で保持している文書、画像、図形を部分フォームを示す部分フォームデータに変換する変換ステップを含むことを特徴とする請求項３５記載の記憶媒体。
【請求項３７】  前記保持手段にグラフィック状態で保持している文書、画像、図形に固有の識別子を付加する識別子付加ステップを有することを特徴とする請求項３５又は３６記載の記憶媒体。
【請求項３８】  前記部分フォームを前記貼り付け先のフォームに貼り付ける際の書式を選択する書式選択ステップを有することを特徴とする請求項３０記載の記憶媒体。
【請求項３９】  前記書式選択ステップでは、前記部分フォームの書式を前記貼り付け先のフォームの書式に合わせる書式選択、或いは前記貼り付け先のフォームの書式を前記部分フォームの書式に合わせる書式選択、或いは前記部分フォームの書式と前記貼り付け先のフォームの書式を独立させる書式選択を行うことを特徴とする請求項３８記載の記憶媒体。
【請求項４０】  フォームデータの作成を行う画像生成装置に供給されるプログラムであって、
文書、画像、図形を部分フォームとして作成する作成ステップと、前記作成ステップで作成した部分フォームを重ね合わせる重合ステップと、前記重合ステップで重ね合わせた部分フォームを貼り付け先のフォームに貼り付けて、フォームデータを生成する貼付ステップとを有することを特徴とするプログラム。
【請求項４１】  前記作成ステップでは、前記部分フォームをプログラミングＡＰＩ（Application Program Interface）を使用して作成することを特徴とする請求項４０記載のプログラム。
【請求項４２】  前記作成ステップによる文書の作成時に、当該文書のフォント情報・レイアウト情報・段落情報を含む文書属性を変更する属性変更ステップを有することを特徴とする請求項４０又は４１記載のプログラム。
【請求項４３】  前記作成ステップによる画像の作成時に、当該画像の拡大・縮小の画像変換を行う画像変換ステップを有することを特徴とする請求項４０〜４２の何れかに記載のプログラム。
【請求項４４】  前記作成ステップによる図形の作成時に、当該図形の線幅・破線パターン、線色を含む図形属性を指定する属性指定ステップを有することを特徴とする請求項４０〜４３の何れかに記載のプログラム。
【請求項４５】  前記作成ステップで作成した文書、画像、図形をグラフィック状態で保持手段に保持する記憶制御ステップを有することを特徴とする請求項４０〜４４の何れかに記載のプログラム。
【請求項４６】  前記作成ステップは、前記保持手段にグラフィック状態で保持している文書、画像、図形を部分フォームを示す部分フォームデータに変換する変換ステップを含むことを特徴とする請求項４５に記載のプログラム。
【請求項４７】  前記保持手段にグラフィック状態で保持している文書、画像、図形に固有の識別子を付加する識別子付加ステップを有することを特徴とする請求項４５又は４６記載のプログラム。
【請求項４８】  前記部分フォームを前記貼り付け先のフォームに貼り付ける際の書式を選択する書式選択ステップを有することを特徴とする請求項４０記載のプログラム。
【請求項４９】  前記書式選択ステップは、前記部分フォームの書式を前記貼り付け先のフォームの書式に合わせる書式選択、或いは前記貼り付け先のフォームの書式を前記部分フォームの書式に合わせる書式選択、或いは前記部分フォームの書式と前記貼り付け先のフォームの書式を独立させる書式選択を行うことを特徴とする請求項４８記載のプログラム。
【手続補正２】
【補正対象書類名】明細書
【補正対象項目名】０００５
【補正方法】変更
【補正の内容】
【０００５】
【課題を解決するための手段】
上記目的を達成するため、本発明は、フォームデータの作成を行う画像生成装置であって、文書、画像、図形を部分フォームとして作成する作成手段と、前記作成手段で作成した部分フォームを重ね合わせる重合手段と、前記重合手段で重ね合わせた部分フォームを貼り付け先のフォームに貼り付けて、フォームデータを生成する貼付手段とを有することを特徴とする。
【手続補正３】
【補正対象書類名】明細書
【補正対象項目名】０００６
【補正方法】変更
【補正の内容】
【０００６】
また、本発明は、フォームデータの作成を行う画像生成装置におけるフォーム貼り付け方法であって、文書、画像、図形を部分フォームとして作成する作成工程と、前記作成工程で作成した部分フォームを重ね合わせる重合工程と、前記重合工程で重ね合わせた部分フォームを貼り付け先のフォームに貼り付けて、フォームデータを生成する貼付工程とを有することを特徴とする。
【手続補正４】
【補正対象書類名】明細書
【補正対象項目名】０００７
【補正方法】変更
【補正の内容】
【０００７】
また、本発明は、フォームデータの作成を行う画像生成装置に適用されるフォーム貼り付け方法を実行するプログラムを記憶したコンピュータにより読み出し可能な記憶媒体であって、前記フォーム貼り付け方法は、文書、画像、図形を部分フォームとして作成する作成ステップと、前記作成ステップで作成した部分フォームを重ね合わせる重合ステップと、前記重合ステップで重ね合わせた部分フォームを貼り付け先のフォームに貼り付けて、フォームデータを生成する貼付ステップとを有することを特徴とする。
【手続補正５】
【補正対象書類名】明細書
【補正対象項目名】０００８
【補正方法】変更
【補正の内容】
【０００８】
また、本発明は、フォームデータの作成を行う画像生成装置に供給されるプログラムであって、前記フォーム貼り付け方法は、文書、画像、図形を部分フォームとして作成する作成ステップと、前記作成ステップで作成した部分フォームを重ね合わせる重合ステップと、前記重合ステップで重ね合わせた部分フォームを貼り付け先のフォームに貼り付けて、フォームデータを生成する貼付ステップとを有することを特徴とする。